(57)【要約】      （修正有）【課題】これまでの電子ブックをさらに便利で使いやすくする。【解決手段】電子ブックが、ピアツーピア原理及び／又は無線ブロードキャスト転送原理を使用して、他の協働する電子ブックへブックファイルを転送することができる。電子ブックはまた、ブックファイルをブックが使用するネイティブフォーマットに、ユーザインタラクションを伴わずに自動的に再フォーマットすることもできる。さらに、電子メールや手書き注釈入力などの追加の電子ブック機能も開示する。【選択図】図４
2010113715.tif 000002
【特許請求の範囲】
【請求項１】
ハウジングと、
前記ハウジング上に支持された電子タッチスクリーンディスプレイと、
前記ハウジング上に設けられた、細長く硬いスタイラスペンを保持するための１又はそれ以上のスタイラスホルダと、
前記ハウジング内のデジタルプロセッサと、
必要に応じてキーボードを前記ハウジングと選択的に係合及び解放して前記デジタルプロセッサに信号を入力できるようにする、前記キーボードのコードのコネクタを受け入れるためのキーボードコードレセプタクルと、
前記ハウジング内に存在するとともに前記プロセッサがアクセス可能なタンジブルコンピュータリーダ記憶媒体と、
を備え、前記媒体には、ファイルが表すテキストを前記プロセッサの制御により前記ディスプレイ上にネイティブフォーマットで表示するための電子ブックファイルが記憶され、
前記プロセッサは、前記媒体に記憶されたタイトルのリストと、他の電子ブックとの通信をサポートするためのコマンド入力要素と、前記ディスプレイを使用して前記プロセッサに入力を行うためのキーボードの画像とを前記ディスプレイに選択的に表示し、
前記プロセッサは、前記媒体上の前記ネイティブフォーマット以外のフォーマットの第１の電子ブックファイルにアクセスし、ユーザが前記第１の電子ブックファイルを選択した場合、ユーザ介入を必要とせずに前記第１の電子ブックファイルを前記ネイティブフォーマットに自動的に再フォーマットし、その後前記第１の電子ブックファイルを表示する、
ことを特徴とする電子ブック。
【請求項２】
前記ハウジングは、書籍の開閉を再現するように折り畳み式である、
ことを特徴とする請求項１に記載の電子ブック。
【請求項３】
前記スタイラスペンは、前記ハウジング上に該ハウジングの上端及び下端に対して垂直に保持される、
ことを特徴とする請求項１に記載の電子ブック。
【請求項４】
前記ハウジングにより支持されるとともに前記プロセッサにより制御可能な少なくとも１つの無線トランシーバを備える、
ことを特徴とする請求項１に記載の電子ブック。
【請求項５】
前記トランシーバは、ＷｉＦｉトランシーバ、又は超広帯域（ＵＷＢ）トランシーバ、又は無線電話トランシーバである、
ことを特徴とする請求項４に記載の電子ブック。
【請求項６】
前記トランシーバはＢｌｕｅｔｏｏｔｈトランシーバである、
ことを特徴とする請求項４に記載の電子ブック。
【請求項７】
前記電子ブックは、前記トランシーバを使用し、ピアツーピア（Ｐ２Ｐ）送信原理を使用してネットワークを経由せずに別の電子ブックへ少なくとも１つの電子ブックファイルを送信する、
ことを特徴とする請求項４に記載の電子ブック。
【請求項８】
前記電子ブックは、前記トランシーバを使用し、ブロードキャスト送信原理を使用して広帯域ネットワークを通じて別の電子ブックへ少なくとも１つの電子ブックファイルを送信する、
ことを特徴とする請求項４に記載の電子ブック。
【請求項９】
前記プロセッサは、個人がファイル送信用のプロトコルの選択に使用するために送信プロトコルのリストを前記ディスプレイに表示する、
ことを特徴とする請求項４に記載の電子ブック。
【請求項１０】
前記プロセッサは、個人が選択可能な、受信装置のインタネットアドレスのメーリングリストを前記ディスプレイに表示して、電子ブックファイルが、選択した受信装置へ転送されるようにする、
ことを特徴とする請求項４に記載の電子ブック。
【請求項１１】
個人が、前記スタイラスペンを使用して、前記ディスプレイに表示されたテキストをハイライト表示することができる、
ことを特徴とする請求項１に記載の電子ブック。
【請求項１２】
個人が、前記スタイラスペンを使用して、前記ディスプレイに表示されたテキストの余白に手書きの注釈を入力することができ、前記プロセッサが、前記媒体に記憶された手書き認識モジュールを実行して、前記電子ブックファイルの関連部分における前記手書きを表す電子英数字を生成し、記憶する、
ことを特徴とする請求項１に記載の電子ブック。
【請求項１３】
前記プロセッサは、「左利き」又は「右利き」の表示設定を指示すべく個人が選択できる利き手セレクタをディスプレイに表示する、
ことを特徴とする請求項１に記載の電子ブック。
【請求項１４】
前記プロセッサは、選択された場合に前記プロセッサがテキストを白に色付けし、該テキストを黒い背景上に表示するようにするネガティブセレクタ要素を前記ディスプレイに表示する、
ことを特徴とする請求項１に記載の電子ブック。
【請求項１５】
前記プロセッサは、電子ブックファイルの一部であるテキスト及び／又はグラフィックスを拡大及び縮小するためのサイズセレクタ要素をディスプレイに表示する、
ことを特徴とする請求項１に記載の電子ブック。
【請求項１６】
ハウジングと、
前記ハウジング上に支持された電子タッチスクリーンディスプレイと、
前記ハウジング内のデジタルプロセッサと、
前記ハウジング内に存在するとともに前記プロセッサがアクセス可能なタンジブルコンピュータリーダ記憶媒体と、
を備え、前記媒体には、ファイルが表すテキストを前記プロセッサの制御により前記ディスプレイ上にネイティブフォーマットで表示するための電子ブックファイルが記憶され、
前記プロセッサは、前記媒体上の前記ネイティブフォーマット以外のフォーマットの第１の電子ブックファイルにアクセスし、ユーザが前記第１の電子ブックファイルを選択した場合、ユーザ介入を必要とせずに前記第１の電子ブックファイルを前記ネイティブフォーマットに自動的に再フォーマットし、その後前記第１の電子ブックファイルを表示する、
ことを特徴とする電子ブック。
【請求項１７】
前記ハウジングにより支持されるとともに前記プロセッサにより制御可能な少なくとも１つの無線トランシーバを備える、
ことを特徴とする請求項１６に記載の電子ブック。
【請求項１８】
前記電子ブックは、前記トランシーバを使用し、ピアツーピア（Ｐ２Ｐ）送信原理を使用してネットワークを経由せずに別の電子ブックへ少なくとも１つの電子ブックファイルを送信する、
ことを特徴とする請求項１７に記載の電子ブック。
【請求項１９】
前記電子ブックは、前記トランシーバを使用し、ブロードキャスト送信原理を使用して広帯域ネットワークを通じて別の電子ブックへ少なくとも１つの電子ブックファイルを送信する、
ことを特徴とする請求項１７に記載の電子ブック。
【請求項２０】
ハウジングと、
前記ハウジング上に支持された電子タッチスクリーンディスプレイと、
前記ハウジング内のデジタルプロセッサと、
前記ハウジング内に存在するとともに前記プロセッサがアクセス可能なタンジブルコンピュータリーダ記憶媒体と、
を備え、前記媒体には、ファイルが表すテキストを前記プロセッサの制御により前記ディスプレイ上にネイティブフォーマットで表示するための電子ブックファイルが記憶され、
前記ハウジングにより支持されるとともに前記プロセッサにより制御可能な、前記媒体上の少なくとも１つの電子ブックファイルを別の電子ブックへ送信するための少なくとも１つの無線トランシーバをさらに備え、前記プロセッサは、個人がファイル送信用のプロトコルの選択に使用するために送信プロトコルのリストを前記ディスプレイに表示する、
ことを特徴とする電子ブック。
【発明の詳細な説明】
【技術分野】
【０００１】
本発明は、一般に電子ブックに関する。
【背景技術】
【０００２】
小型で手持ち型のハウジング内の記憶媒体に記憶された電子ブックファイルを読むことができる電子ブックが提供されてきた。ハウジングのディスプレイにテキストが表示され、複数の電子ブックを記憶媒体に記憶することができる。このようにして、実際に、都合のよい時に数多くのブックを伝送して、単一の軽量な電子ブックのフォームファクタで読むことができる。本明細書で分かるように、このような電子ブックをさらに便利で使いやすくすることができる。
【発明の概要】
【課題を解決するための手段】
【０００３】
電子ブックが、ハウジングと、ハウジング上に支持されたタッチスクリーンディスプレイと、ハウジング上に設けられた、細長く硬いスタイラスペンを保持するための１又はそれ以上のスタイラスホルダとを含む。ハウジング内にはデジタルプロセッサが備わる。キーボードコードレセプタクルがキーボードのコードのコネクタを受け入れることにより、必要に応じてキーボードをハウジングと選択的に係合及び解放して、デジタルプロセッサに信号を入力できるようにすることができる。ハウジング内には、タンジブルコンピュータリーダ記憶媒体が存在してプロセッサがアクセス可能であり、この媒体には、ファイルが表すテキストをプロセッサの制御によりディスプレイ上にネイティブフォーマットで表示するための電子ブックファイルが記憶される。また、プロセッサは、媒体に記憶したタイトルのリスト、他の電子ブックとの通信をサポートするためのコマンド入力要素、及びディスプレイを使用してプロセッサに入力を行うためのキーボードの画像をディスプレイに選択的に表示する。プロセッサは、媒体上のネイティブフォーマット以外のフォーマットの第１の電子ブックファイルにアクセスし、ユーザが第１の電子ブックファイルを選択した場合、ユーザ介入を必要とせずに第１の電子ブックファイルをネイティブフォーマットに自動的に再フォーマットし、その後、この第１の電子ブックファイルを表示することができる。
【０００４】
別の態様では、電子ブックが、ハウジングと、ハウジング上に支持された電子タッチスクリーンディスプレイとを含む。ハウジング内にはデジタルプロセッサが備わる。同様に、ハウジング内には、タンジブルコンピュータリーダ記憶媒体が存在してプロセッサがアクセス可能であり、この媒体には、ファイルが表すテキストをプロセッサの制御によりディスプレイ上にネイティブフォーマットで表示するための電子ブックファイルが記憶される。プロセッサは、媒体上のネイティブフォーマット以外のフォーマットの第１の電子ブックファイルにアクセスし、ユーザが第１の電子ブックファイルを選択した場合、ユーザ介入を必要とせずに第１の電子ブックファイルをネイティブフォーマットに自動的に再フォーマットし、その後、この第１の電子ブックファイルを表示する。
【０００５】
別の態様では、電子ブックが、ハウジングと、ハウジング上に支持された電子タッチスクリーンディスプレイとを含む。ハウジング内にはデジタルプロセッサが備わる。同様に、ハウジング内には、タンジブルコンピュータリーダ記憶媒体が存在してプロセッサがアクセス可能である。この媒体には、ファイルが表すテキストをプロセッサの制御によりディスプレイ上にネイティブフォーマットで表示するための電子ブックファイルが記憶される。少なくとも１つの無線トランシーバがハウジングにより支持され、プロセッサは、媒体上の電子ブックファイルを他の電子ブックへ送信すべくこの無線トランシーバを制御することができる。プロセッサは、ファイル送信ためのプロトコルの選択に使用するために送信プロトコルのリストをディスプレイ上に表示する。
【０００６】
同じ参照番号が同じ部分を示す添付図面を参照することにより、本発明の詳細をその構造及び動作の両方に関して最も良く理解することができる。
【図面の簡単な説明】
【０００７】
【図１】閉じた構成における例示的な電子ブックの斜視図である。
【図２】開いた構成における図１の電子ブックを示す斜視図である。
【図３】プロセッサ、記憶媒体及びトランシーバを概略的に示す例示的な電子ブックの斜視図である。
【図４】例示的なファイル形式変換ロジックのフロー図である。
【図５】協働する電子ブック間のブック転送様式を示す概略図である。
【図６】例示的なブック転送ロジックのフロー図である。
【発明を実施するための形態】
【０００８】
最初に図１及び図２を参照すると、１つの実施形態において、書籍の開閉を再現するように折り畳み式の構成を有することができる例示的な電子ブック１０を示している。詳細には、電子ブック１０は、ヒンジ１６に沿って硬い軽量プラスチックの「バック」部材１４に接合された硬い軽量プラスチックの「カバー」部材１２を有して、「カバー」部材１２の電子ディスプレイ１８が閲覧のために露出する開いた構成（図２）と、ディスプレイ１８が「バック」部材１４の内面にぴったりくっついた状態にあるため露出しない閉じた構成（図１）との間で動かすことができる。必要であれば、キーボード及び／又はマウス、又はその他のカーソル制御／ポイント及びクリック装置のような入力装置２０を「バック」部材１４などに設けることができる。
【０００９】
図３は、図１及び図２のブック１０とは対照的に折り畳むことができない例示的な電子ブックを示しており、図１及び図２に示すブック１０は、図３に示す電子ブック２２の機能をブック１０の「カバー」部材１２などに組み込むことができると理解される。電子ブック２２は、電子ディスプレイ２６を有する軽量の携帯用プラスチックハウジング２４を含み、この電子ディスプレイ２６はタッチスクリーンディスプレイであってもよい。従って、必要であれば、ハウジング２４は、ディスプレイ２６がタッチスクリーンディスプレイである場合、そこに信号を入力するのに使用するための細長く硬い、一般にプラスチック製のスタイラスペン３０を、例えばハウジングの「頂部」及び「底部」に対してハウジング上に垂直に保持するためのプラスチッククリップなどの１又はそれ以上のスタイラスホルダ２８を含むことができる。限定的な意味ではないが、ディスプレイ２６は、液晶ディスプレイ（ＬＣＤ）、発光ダイオードディスプレイ（ＬＥＤ）、又はその他の適当な電子ディスプレイ技術であってもよい。
【００１０】
必要であれば、ハウジング２４に、キーボード３６のコード３４のコネクタを受け入れるためのキーボードコードレセプタクル３２を形成することができる。このようにして、必要に応じてキーボード３６をハウジング２４と選択的に係合及び解放して、ハウジング２４内のデジタルプロセッサ３８に信号を入力できるようにすることができる。次に、プロセッサ３８は、以下に限定されるわけではないが、ディスクベースの記憶装置及び／又は固体記憶装置などのタンジブルコンピュータリーダ記憶媒体４０にアクセスして本明細書の論理を実行することができる。媒体４０に電子ブックファイルを記憶することもできる。プロセッサ３８は、ディスプレイ２６を制御して、媒体４０に記憶されたタイトルのリスト、以下で説明するブック間の通信をサポートするためのコマンド入力要素、媒体４０上のファイルから得られるブックテキスト、及びディスプレイ２６がタッチスクリーンディスプレイである場合、ユーザがスタイラスペン３０などを使用して英数字信号を入力できるようにするキーボードなどの入力装置の画像を表示することを理解されたい。
【００１１】
後程簡単に説明するが、いくつかの実施形態では、プロセッサ３８が１又はそれ以上の無線トランシーバと通信することができる。図３に示す実施形態では、プロセッサ３８が、長距離無線トランシーバ４２及び短距離無線トランシーバ４４と通信する。限定的な意味ではないが、短距離トランシーバ４４は、Ｂｌｕｅｔｏｏｔｈトランシーバ又はその他の短距離高帯域トランシーバ技術であってもよく、長距離トランシーバ４２は、Ｗｉ−Ｆｉトランシーバ、又は超広帯域（ＵＷＢ）トランシーバ、又は無線電話トランシーバ、又はその他の適当なトランシーバであってもよい。
【００１２】
スタイラスペン３０又はその他の物体などを使用して、ディスプレイ２６に表示された「ハイライト」セレクタを選択し、ディスプレイに表示されたテキストをハイライト表示することができる。また、ディスプレイに表示されるテキストの「余白」に手書きの注釈を入力し、プロセッサ３８が、媒体４０に記憶した手書き認識モジュールを実行して、電子ブックファイルの関連部分における手書きを表す電子英数字を生成し、記憶する。このようにして、ブックファイル内のコメントに関連する位置において電子ブックにコメントを注記することができる。
【００１３】
さらに、ディスプレイ２６に「利き手」セレクタを表示し、これを選択して「左利き」又は「右利き」を指示することができる。例えば、右利きの人は、図示のようにハウジング２４を直立状態で把持したいと望むことができるのに対し、左利きのユーザは、ハウジング２４を逆さまに把持したいと望むことができ、この場合「左利き」を選択することにより、ディスプレイ２６に表示されるテキストが１８０度回転されるようになる。装置はまた、いずれの方向にも９０度回転して、左利き及び右利きのユーザに一様に容易に対応することができる。さらに、ユーザに対してディスプレイ２６に「ネガティブ」セレクタ要素を表示して、選択した場合、テキストが白色になり、これが黒又はその他の暗い背景上に表示されるようにすることができる。また、「拡大」及び「縮小」セレクタ要素をユーザに提示して、選択した場合、電子ブックファイルの一部であるテキスト、グラフィック、テーブル等がそれぞれ拡大及び縮小されるようにすることもできる。
【００１４】
図４を参照すると、本例で理解されるように、例えばＡｃｒｏｂａｔ（商標）などの所定の「ネイティブ」フォーマットであると推測される電子ブックファイルを表示するようにプロセッサ３８をプログラムすることができる。本発明はまた、電子ブックファイルを媒体４０にネイティブフォーマット以外のフォーマットで記憶することができるが、ユーザ介入抜きで、及びユーザ介入を必要とせずに非ネイティブファイルが表示されることが好ましいことも心得ている。
【００１５】
従って、ブロック４６において、ディスプレイ２６に表示されるリストから媒体４０上の利用可能なタイトルの選択を受信することなどにより、文書選択が受信される。判定区画４８において、選択した文書がネイティブフォーマットであると判定された場合、ブロック５０において文書が表示される。一方、文書がネイティブフォーマットでない場合、プロセッサは、文書がどのようなフォーマットであるかを判定し、ブロック５２において、文書をこの文書のフォーマットからネイティブフォーマットに変換するための適当な変換モジュールに自動的に（ユーザの指示又は命令を伴わずに）アクセスする。媒体４０にこの変換モジュールを記憶することができる。ブロック５４において、変換モジュールを使用してプロセッサが文書をネイティブフォーマットに変換し、ブロック５０において表示する。
【００１６】
図５は、上述のブック１０又はブック２２の一方のような１つの電子ブック６０が、ピアツーピア（Ｐ２Ｐ）原理を使用して、及び／又はブロードキャスト送信原理を使用して電子ブックファイルを別の電子ブック６０と共有できることを示している。詳細には、線６２で示すように、電子ブック６０は、インターネットのＷｉ−Ｆｉネットワークのような広帯域無線ネットワーク６４を使用して相互に通信することができる。また、矢印６６で示すように、ネットワークを経由せずに近くの電子ブックと直接的なＰ２Ｐファイル共有を行うこともできる。後者の場合には、Ｂｌｕｅｔｏｏｔｈ又はその他の高帯域短距離送信プロトコルを使用して、１つの電子ブック６０から別の電子ブック６０へ電子ブックファイルを転送するのに対し、前者の場合には、Ｐ２Ｐ又はブロードキャスト原理をＷｉ−Ｆｉ送信プロトコルなどと共に使用して、ネットワーク６４を通じて電子ブックファイルを共有する。
【００１７】
１つの電子ブック６０が別の対応する装置の直近にある場合、ネットワーク６４を使用しないＰ２Ｐファイル共有を行うことができる。ファイル送信用のプロトコルの選択に使用するためにプロトコルのリストを表示することができる。このようにして、例えばＷｉＦｉを利用できない場合、ユーザは、Ｂｌｕｅｔｏｏｔｈトランシーバ及びプロトコルを使用することを選択して、近くの電子ブックとファイルを共有することができる。
【００１８】
比較的遠くの電子ブックへファイルを送信することが望まれる場合、電子ブック６０は、受信装置のインタネットアドレスのメーリングリストなどを使用して、ブックファイルをブロードキャストすることができる。メーリングリストを使用した転送を選択することにより、それぞれのインターネットプロトコル（ＩＰ）アドレスにアドレス指定されたファイルを１つのブック６０から別の又は多くのブック６０へ送信することができ、このアドレスは、受信者に関連付けられたＰＣのアドレス、及び／又は機能中のＷｉＦｉホットスポットなどに存在するブック６０のアドレスであってもよい。従って、個々のブック６０は独自のＩＰアドレスを有することができ、ブック６０がオンラインでない場合、必要であれば指定バックアップアドレスとしてＰＣＩＰアドレスを有することもできる。
【００１９】
図６は、上記の原理をさらに詳細に示す図である。ブロック７０から開始して、ユーザは、他のブックへ送信できるファイルのリストを選択することができ、必要であれば、 所望の受信者と共にデジタル権利の管理（ＤＲＭ）の制約を考慮することもできる。また、ブロック７２において、ユーザにプロトコルセレクタ要素を表示して、ユーザが「Ｂｌｕｅｔｏｏｔｈ」、「ＷｉＦｉ」などの所望の送信プロトコルを選択できるようにすることができる。必要であれば、ブロック７４において、所望の受信者とのハンドシェイク原理を使用して、Ｂｌｕｅｔｏｏｔｈを設定していればＢｌｕｅｔｏｏｔｈの範囲内にあること、電源が入っていることなどの、受信者が適切に設定されていることを確認することができる。ブロック７６において、選択したブックファイルが選択した受信アドレスへ送信される。
【００２０】
特定の「機能を強化した電子ブック」を本明細書に示し、詳細に説明したが、本発明に含まれる対象は特許請求の範囲によってのみ限定されることを理解されたい。
【図１】
2010113715.tif 000003
【図２】
2010113715.tif 000004
【図３】
2010113715.tif 000005
【図４】
2010113715.tif 000006
【図５】
2010113715.tif 000007
【図６】
2010113715.tif 000008